(57)【要約】  【課題】部品点数や取付けコスト或いは車体重量の上昇を招くことなく、しかも、自動車の衝突時におけるフィラーチューブの穿孔や千切れ現象を確実に防止できるように構成したフィラーチューブのプロテクター構造を提供する。  【解決手段】フィラーチューブ１における燃料注入口側から燃料タンク本体側に沿うように、パネル材からなるプロテクター本体３を所定のクリアランスをもって外装すると共に、プロテクター本体３の長手方向両端部のうち、燃料注入口側端部５側を樹脂或いはゴムなどから構成された可撓性材料からなるクリップ体７を用いてフィラーチューブ１に取着するとともに、燃料タンク本体側端部４側を溶接によりフィラーチューブ１に装着固定した。【選択図】図２
2015074240.tif 000002
【特許請求の範囲】
【請求項１】
一端側が燃料注入口に連結されているとともに他端側が燃料タンク本体に連結されて、燃料を前記燃料注入口から燃料タンク本体に供給するフィラーチューブのプロテクター構造であって、前記フィラーチューブにおける前記燃料注入口側から前記燃料タンク本体側に沿うように、パネル材からなるプロテクター本体を所定のクリアランスをもって外装すると共に、前記プロテクター本体の長手方向両端部を前記フィラーチューブに取着して構成し、且つ、前記プロテクター本体の長手方向両端部取着構成のうち、少なくとも前記燃料注入口側端部側を樹脂或いはゴムなどから構成された可撓性材料からなるクリップ体を用いて前記フィラーチューブに取着したことを特徴とするフィラーチューブのプロテクター構造。
【請求項２】
前記プロテクター本体の前記長手方向両端部のうち、前記燃料タンク本体側端部側が、前記フィラーチューブに溶接により取着されていることを特徴とする請求項１に記載のフィラーチューブのプロテクター構造。
【請求項３】
前記プロテクター本体の前記長手方向両端部側のうち、前記燃料タンク本体側端部側も同様に、樹脂或いはゴムなどから構成する可撓性材料からなる前記クリップ体を用いて、前記フィラーチューブに取着されていることを特徴とする請求項１に記載のフィラーチューブのプロテクター構造。
【請求項４】
前記クリップ体は、前記フィラーチューブの外周を囲繞して該フィラーチューブに取外し可能に装着されるフィラーチューブ抱持片部と、該フィラーチューブ抱持片部の外周部に沿って一体に形成されて前記プロテクター本体を前記フィラーチューブ抱持片部の外周部と共に前記プロテクター本体を弾着挟合するプロテクター本体弾着挟合片部とで構成されており、且つ、該プロテクター本体弾着挟合片部が、前記プロテクター本体に設けられた位置決め孔に嵌合されて前記プロテクター本体の位置決めを行う位置決め突起を有することを特徴とする請求項１乃至３の何れか位置に記載のフィラーチューブのプロテクター構造。
【請求項５】
前記プロテクター本体弾着挟合片部が、前記プロテクター本体を前記クリップ体に対して挟着可能な弾性力を有するヒンジ部を介して、前記フィラーチューブ抱持片部に一体の形成されていることを特徴とする請求項１乃至請求項４の何れか一に記載のフィラーチューブのプロテクター構造。
【発明の詳細な説明】
【技術分野】
【０００１】
この発明は、自動車用燃料を燃料注入口から注入して燃料タンク本体内に供給するフィラーチューブが自動車の衝突事故などに遭遇した際の燃料漏れの要因となる穿孔等を起こさないように構成したフィラーチューブのプロテクター構造に関する。
【背景技術】
【０００２】
従来の自動車に用いる燃料タンク装置は、図５に示すように、鉄などの金属製のフィラーチューブａを用いて、燃料タンク本体ｂ内に燃料を供給するように構成されており、かかることから、フィラーチューブａの一端側を燃料注入口ｃに連結すると共に他端側を燃料タンク本体ｂ側に連結するようになっている。そして、自動車におけるフィラーチューブａは、図７に示すように、ホイールハウスｄとタイヤｔとの間に配設され、車体外部に露出した状態でレイアウトされるようになっている。
【０００３】
かかることから、フィラーチューブａのホイールハウスｄ内における車外露出部分ｆ（図５の一点鎖線円内部分）は、タイヤｔなどにより石跳ねなどから保護すべくなした耐チッピング対策を施すと共に、自動車の衝突事故に遭遇した際に生起する穿孔などにより燃料漏れを防止すべく、プロテクター本体ｅを外装することにより構成して保護するようになっている。
【０００４】
そして、プロテクター本体ｅは、鉄などの金属製のパネル材をフィラーチューブａに対して燃料注入口ｃ側から燃料タンク本体側に延設すべく地面対向側の外形に沿うように配設するとともに、フィラーチューブａの車外露出部分ｆを所定のクリアランスｇをもってカバーしている（図６を参照）。
【０００５】
また、プロテクター本体ｅの長手方向両端部のうち、燃料タンク本体側端部ｅ‐１は、被溶接片部ｅ‐３が形成されていて、フィラーチューブａの外壁に溶接することで固定装着されているか、或いは図示しないが別体構成の一対のブラケットをボルトなどの諦着具を用いてプロテクター本体ｅを挟み付けるなどすることによって固定取着されており、燃料注入口側端部ｅ‐２側は、未取着状態となっている（類似する技術として、特許文献１及び２を参照）。
【先行技術文献】
【特許文献】
【０００６】
【特許文献１】特開２００１−  ９７０５４号公報
【特許文献２】特開２００３−１３６９７８号公報
【発明の開示】
【発明が解決しようとする課題】
【０００７】
したがって、従来のフィラーチューブのプロテクター構造は、プロテクター本体ｅにおける燃料注入口側端部ｅ‐２側をフィラーチューブａに対して未取着状態となる片持ち支持構造としていることから、自動車の走行中などにおいてプロテクター本体ｅが、風力や水力或いは石跳ねによって、力を受けてしまうことがある。この結果、プロテクター本体ｅは、フィラーチューブａ側に固定取着されている燃料タンク本体側端部ｅ‐１側から燃料注入口側端部ｅ‐２までの寸法がかなり長いことも相俟って、矢印Ｚ方向の力を受けたことに起因して、燃料タンク本体側端部ｅ‐１側を支点として、燃料注入口側端部ｅ‐２側を湾曲状に折曲り変形させてしまうことが考えられる。この結果、プロテクター本体ｅによる保護機能が不十分となって、自動車の衝突事故等により他の車体部品が変形して衝接した場合に、プロテクター本体ｅが穿孔されて燃料漏れを起こしてしまうおそれがある。
【０００８】
加えて、プロテクター本体ｅの燃料タンク本体側端部ｅ‐１側を別体構成の一対のブラケットがボルトなどの諦着具を用いて挟み付けるなどすることによって固定取着する方式は、一対のブラケットや諦着具を用いる結果、部品点数や取付けコスト或いは車体重量の上昇を招くことになるばかりでなく、両ブラケットによるプロテクター本体ｅの挟み付け力が十分であっても、プロテクター本体ｅが、その車外露出部分ｆにおいて長手方向に風力や水力により力を受けたような際には、フィラーチューブａに対して回転してしまって、車外露出部分ｆの地面側から離間してしまうことになって、フィラーチューブａの保護が不十分となってしまうことにもなりかねない。
【０００９】
そこで、プロテクター本体ｅが、風力や水力による力を受けたとしても、燃料タンク本体側端部ｅ‐１側を支点とする折曲り変形を起こさないようにすると共にフィラーチューブａに対するプロテクター本体ｅの不用意の回転や固定取着構造の簡略化を図るには、プロテクター本体ｅにおける燃料タンク本体側端部ｅ‐１側と共に燃料注入口側端部ｅ‐２側も、溶接により固定装着してしまうということが考えられる。
【００１０】
しかしながら、かかるプロテクター本体ｅにおける燃料タンク本体側端部ｅ‐１及び燃料注入口側端部ｅ‐２の両端部を溶接してフィラーチューブａに固定装着する両持ち構造となるようにフィラーチューブのプロテクター構造を構成した場合、かかるフィラーチューブのプロテクター構造は、自動車の衝突試験などを行った際には、タイヤハウス近傍に配設されている他の車体構成部品が変形して衝接した場合には、フィラーチューブａが穿孔したり、延いては千切れてしまうおそれがあることを考慮しなければならない。
【００１１】
すなわち、プロテクター本体ｅにおける燃料タンク本体側端部ｅ‐１及び燃料注入口側端部ｅ‐２の両端部共に溶接により固定装着する両持ち構造とした場合には、固着強度が非常に高いことになって、自動車の衝突時などにおいて他の車体構成部品がプロテクター本体ｅに衝接すると、プロテクター本体ｅとフィラーチューブａとの固定装着部位に応力集中が起こって、フィラーチューブａ自体が穿孔したり、延いては千切れてしまうことにもなりかねない。
【００１２】
そこで、この発明は、かかる従来の技術に鑑み、部品点数や取付けコスト或いは車体重量の上昇を招くことなく、しかも、自動車の衝突時におけるフィラーチューブの穿孔や千切れ現象を確実に防止できるように構成したフィラーチューブのプロテクター構造を提供することを目的としている。
【課題を解決するための手段】
【００１３】
この発明に係るフィラーチューブのプロテクター構造は、一端側が燃料注入口に連結されているとともに他端側が燃料タンク本体に連結されて、燃料を前記燃料注入口から燃料タンク本体に供給するフィラーチューブのプロテクター構造であって、前記フィラーチューブにおける前記燃料注入口側から前記燃料タンク本体側に沿うように、パネル材からなるプロテクター本体を所定のクリアランスをもって外装すると共に、前記プロテクター本体の長手方向両端部を前記フィラーチューブに取着して構成し、且つ、前記プロテクター本体の長手方向両端部取着構成のうち、少なくとも前記燃料注入口側端部側を樹脂或いはゴムなどから構成された可撓性材料からなるクリップ体を用いて前記フィラーチューブに取着したことを特徴とする。
【００１４】
かかる構成により、この発明は、プロテクター本体の長手方向両端部共にフィラーチューブに取着構成されていることから、プロテクター本体が、自動車の走行時などにおいて風力や水力などを受けたとしても、湾曲状に折曲して変形しまうことを防止することができ、常にフィラーチューブの保護作用を果たすことができる。
【００１５】
しかも、この発明に係るフィラーチューブのプロテクター構造は、プロテクター本体の長手方向両端部のうち、燃料注入口側端部側が樹脂或いはゴムなどから構成された可撓性材料からなるクリップ体を用いてフィラーチューブに取着されていることによって、自動車の衝突時などにおいて他の車体構成部品がプロテクター本体に衝接して、プロテクター本体に大きな衝撃力が及んだ場合、クリップ体がかかる大きな衝撃力を吸収したり果て又千切れることなって、プロテクター本体とフィラーチューブとの固定装着部位に応力集中が起こらないことになる。この結果、フィラーチューブ自体が、穿孔したり千切れてしまうことを確実に防止でき、フィラーチューブからの燃料漏れを確実に防止することができる。
【００１６】
さらに、この発明は、プロテクター本体の長手方向両端部のうち、燃料注入口側端部側が少なくとも樹脂或いはゴムなどから構成された可撓性材料からなるクリップ体を用いてフィラーチューブに取着したことにより、従来のブラケットを使用する場合に比して、部品点数や取付けコスト或いは車体重量を確実に軽減することができる。
【００１７】
この発明は、一の実施の形態として、前記プロテクター本体の前記長手方向両端部のうち、前記燃料タンク本体側端部側を、前記フィラーチューブに溶接により取着されて構成している。
【００１８】
かかる構成により、この発明は、プロテクター本体における燃料タンク本体側端部側が溶接によりフィラーチューブに取着されていることから、燃料注入口側端部側がクリップ体によって装着されていることと相俟って、プロテクター本体が、自動車の走行時などにおいて風力や水力などを受けたとしても、湾曲状に折曲変形してまうことを確実に防止することができ、常に、フィラーチューブの保護作用を果たすことができる。
【００１９】
また、この発明は、他の実施の形態として、前記プロテクター本体の前記長手方向両端部側のうち、前記燃料タンク本体側端部側も同様に、樹脂或いはゴムなどから構成する可撓性材料からなる前記クリップ体を用いて、前記フィラーチューブに取着されて構成している。
【００２０】
かかる構成により、この発明は、プロテクター本体における燃料タンク本体側端部側が溶接によりフィラーチューブに取着されていることから、燃料注入口側端部側がクリップ体によって装着されていることと相俟って、プロテクター本体が、自動車の走行時などにおいて風力や水力などを受けたとしても、湾曲状に折曲して変形しまうことを確実に防止することができ、常に、フィラーチューブの保護作用を果たすことができる。
【００２１】
また、この発明は、他の実施の形態として、前記クリップ体が、前記フィラーチューブの外周を囲繞して該フィラーチューブに取外し可能に装着されるフィラーチューブ抱持片部と、該フィラーチューブ抱持片部の外周部に沿って一体に形成されて前記プロテクター本体を前記フィラーチューブ抱持片部の外周部と共に前記プロテクター本体を弾着挟合するプロテクター本体弾着挟合片部とで構成されており、且つ、該プロテクター本体弾着挟合片部が、前記プロテクター本体に設けられた位置決め孔に嵌合されて前記プロテクター本体の位置決めを行う位置決め突起を有して構成している。
【００２２】
かかる構成により、この発明は、クリップ体が、フィラーチューブ抱持片部とプロテクター本体弾着挟合片部とを一体にて構成していることから、従来のブラケットを使用する場合に比して、部品点数や取付けコスト或いは車体重量を確実に軽減することができ、しかも、プロテクター本体側の位置決め孔にクリップ体側の位置決め突起を嵌合することにより、プロテクター本体に対してクリップ体を容易に位置決めでき、常に所定位置において、プロテクター本体をフィラーチューブ側に装着することができる。
【００２３】
また、この発明は、更に他の実施の形態として、前記プロテクター本体弾着挟合片部が前記プロテクター本体を前記クリップ体に対して挟着可能な弾性力を有するヒンジ部を介して、前記フィラーチューブ抱持片部に一体の形成されて構成している。
【００２４】
かかる構成により、この発明は、プロテクター本体弾着挟合片部がプロテクター本体をクリップ体に対して挟着可能な弾性力を有するヒンジ部を介して、フィラーチューブ抱持片部に一体に形成されていることから、プロテクター本体のクリップ体への組み付けは、ヒンジ部によってプロテクター本体弾着挟合片部をフィラーチューブ抱持片部に対して弾性力に抗して拡開して、プロテクター本体弾着挟合片部とフィラーチューブ抱持片部との間に挿入し、その後、プロテクター本体弾着挟合片部の拡開状態を解くことで、簡単に可能とすることができる。
【発明の効果】
【００２５】
この発明は、プロテクター本体の長手方向両端部共にフィラーチューブに取着構成されていることから、プロテクター本体が、自動車の走行時などにおいて風力や水力などを受けたとしても、湾曲状に折曲して変形しまうことを防止することができ、常にフィラーチューブの保護作用を果たすことができる。
【００２６】
しかも、この発明に係るフィラーチューブのプロテクター構造は、プロテクター本体の長手方向両端部のうち、燃料注入口側端部側が樹脂或いはゴムなどから構成された可撓性材料からなるクリップ体を用いてフィラーチューブに取着されていることによって、自動車の衝突時などにおいて他の車体構成部品がプロテクター本体に衝接して、プロテクター本体に大きな衝撃力が及んだ場合、クリップ体がかかる大きな衝撃力を吸収したり果て又千切れることなって、プロテクター本体とフィラーチューブとの固定装着部位に応力集中が起こらないことになる。この結果、フィラーチューブ自体が、穿孔したり千切れてしまうことを確実に防止でき、フィラーチューブからの燃料漏れを確実に防止することができる。
【００２７】
さらに、この発明は、プロテクター本体の長手方向両端部のうち、燃料注入口側端部側が少なくとも樹脂或いはゴムなどから構成された可撓性材料からなるクリップ体を用いてフィラーチューブに取着したことにより、従来のブラケットを使用する場合に比して、部品点数や取付けコスト或いは車体重量を確実に軽減することができる。
【図面の簡単な説明】
【００２８】
【図１】この発明に係る実施例を採用したフィラーチューブのプロテクター構造の要部を描画した斜視図である。
【図２】図１のＡ矢印方向から描画した斜視図である。
【図３】この発明に係る実施例のフィラーチューブのプロテクター構造を構成するクリップ体を描画した斜視図である。
【図４】図２のＡ−Ａ断面図である。
【図５】従来におけるフィラーチューブのプロテクター構造を概略的に描画した斜視図である。
【図６】図５における一点鎖線円内を拡大して描画した要部斜視図である。
【図７】図６のＢ矢印方向から描画した斜視図である。
【発明を実施するための形態】
【００２９】
この発明の実施例に係るフィラーチューブのプロテクター構造は、プロテクター本体の長手方向両端部のうち、燃料注入口側端部側が少なくとも樹脂或いはゴムなどから構成された可撓性材料からなるクリップ体を用いてフィラーチューブに取着したことにより、従来のブラケットを使用する場合に比して、部品点数や取付けコスト或いは車体重量を確実に軽減することができるように構成している。
【００３０】
次に、図１及び図２を用いて、この発明にかかる実施例を採用したフィラーチューブのプロテクタ構造を説明する。すなわち、図１及び図２に示すように、不図示の燃料注入口から注入された燃料は、鉄などの金属製のフィラーチューブ１を介してやはり不図示の燃料タンク本体に供給されるように構成している。
【００３１】
フィラーチューブ１は、燃料注入口からタンク本体までの間に至る車体レイアウトに適合するように、適宜折り曲げ形成などされており、途中、図２に示すように、ホイールハウス１０内においてタイヤ１１の上部に配設されることによって、車外露出部分２となっている。
【００３２】
フィラーチューブ１の車外露出部分２は、タイヤ１１などによる石跳ねなどから保護すべくなした耐チッピング対策を施すと共に、自動車の衝突事故に遭遇した際に生起する穿孔などによる燃料漏れを防止すべく、プロテクター本体３が、所定のクリアランスＳ−１を有して外装されている。
【００３３】
したがって、プロテクター本体３は、フィラーチューブ１の車外露出部分２とタイヤ１１との間に配設されていることになる。
【００３４】
そして、プロテクター本体３の燃料タンク本体側端部４側には、被溶接片部６が形成されている。被溶接片部６は、溶接を施すことによって、プロテクター本体３の燃料タンク本体側端部４側をフィラーチューブ１に固定装着されている。
【００３５】
プロテクター本体３の燃料注入口側端部５側は、樹脂或はゴムなどから構成する可撓性材料からなるクリップ体７を用いて、フィラーチューブ１に取着されている。
【００３６】
かかるクリップ体７は、図３において明らかに示するように、フィラーチューブ１の車外露出部分２の外周を囲繞してフィラーチューブ１に装着されるフィラーチューブ抱持片部８と、フィラーチューブ抱持片部８の外周部を沿うように一体に延設形成されてフィラーチューブ抱持片部８の外周部と共にプロテクター本体３を弾着挟合するプロテクター本体弾着挟合片部９とを有して構成されている。
【００３７】
フィラーチューブ抱持片部８は、基本的に輪っか状を呈するも、中途部が分割されて一対の端部８−１、８−２になっており、両端部８−１、８−２にそれぞれに形成された係合鉤部同士を係合することによって、クリップ体７をフィラーチューブに囲繞抱持している（図４を参照）。かかることから、両端部８−１、８−２のうち、一方の端部８−１は、フィラーチューブ抱持片部８がフィラーチューブ１の外周を弾着抱持するように、所定の弾性力を有した後述のヒンジ部９−１を有して構成している。
【００３８】
プロテクター本体弾着挟合片部９は、やはり図３において明らかに図示するように、その一端側がフィラーチューブ抱持片部８にヒンジ部９−１を介在させて一体的に連結しており、他端側は、フィラーチューブ抱持片部８の外周部に沿って所定のクリアランスＳ−２を有して延在する遊端側になっている。さらに、他端側におけるフィラーチューブ抱持片部８の外周部に対向する面には、１個以上の位置決め突起９−２が形成されている。位置決め突起９−２は、プロテクター本体３側に設けた位置決め孔３−１に嵌合することにより、プロテクター本体３に対してクリップ体７を位置決めするように構成されている。
【００３９】
かかる構成により、プロテクター本体弾着挟合片９は、ヒンジ部９−１の弾性力に抗して、遊端側である他端側を揺動させてクリアランスＳ−２を拡開した状態を保持し、かかるクリアランスＳ−２にプロテクター本体３を挿入し、プロテクター本体３側の位置決め孔３−１に位置決め突起９−２を嵌合する。その後、クリアランスＳ−２の拡開状態を解除すれば、プロテクター本体弾着挟合片９は、ヒンジ部９−１の弾性力によって、フィラーチューブ抱持片部８の外周部と協働してプロテクター本体３をクリップ体７に弾着挟合することになる（図４を参照）。
【００４０】
以上説明したこの発明の実施例に係るフィラーチューブのプロテクター構造は、プロテクター本体３の長手方向両端部４、５のうち、燃料タンク本体側端部４が被溶接片部６によってフィラーチューブ１に取着していると共に、燃料注入口側端部５側がクリップ体７によってフィラーチューブ１に取着されて構成していることから、プロテクター本体３が、自動車の走行時などにおいて風力や水力などを受けたとしても、湾曲状に折曲して変形しまうことを防止することができ、常にフィラーチューブ１の保護作用を果たすことができる。
【００４１】
しかも、この発明の実施例に係るフィラーチューブのプロテクター構造は、プロテクター本体３の長手方向両端部４、５のうち、燃料注入口側端部５側が樹脂或いはゴムなどから構成された可撓性材料からなるクリップ体７を用いてフィラーチューブ１に取着されていることによって、自動車の衝突時などにおいて他の車体構成部品がプロテクター本体３に衝接して、プロテクター本体３に大きな衝撃力が及んだ場合、クリップ体７が撓むことによってかかる大きな衝撃力を吸収したり果て又千切れたりすることなって、プロテクター本体３とフィラーチューブ１との固定装着部位に応力集中が起こらないことになる。この結果、フィラーチューブ１自体が、穿孔したり千切れてしまうことを確実に防止でき、フィラーチューブ１からの燃料漏れを確実に防止することができる。
【００４２】
さらに、この発明の実施例に係るフィラーチューブのプロテクター構造は、プロテクター本体３の長手方向両端部４、５のうち、燃料注入口側端部５側が樹脂或いはゴムなどから構成された可撓性材料からなるクリップ体７を用いてフィラーチューブ１に取着したことにより、従来のブラケットを使用する場合に比して、部品点数や取付けコスト或いは車体重量を確実に軽減することができる。
【００４３】
加えて、この発明の実施例に係るフィラーチューブのプロテクター構造は、プロテクター本体弾着挟合片部９がプロテクター本体３をクリップ体７に対して挟着可能な弾性力を有するヒンジ部９−１を介して、フィラーチューブ抱持片部８に一体に形成されていることから、プロテクター本体３のクリップ体７への組み付けは、ヒンジ部９−１によってプロテクター本体弾着挟合片部９の遊端側としての他端側をフィラーチューブ抱持片部８に対して弾性力に抗して拡開して、プロテクター本体弾着挟合片部９とフィラーチューブ抱持片部８との間に挿入し、その後、プロテクター本体弾着挟合片部９の拡開状態を解くことで、簡単に可能とすることができる。
【００４４】
なお、上記この発明に係る実施例においてはプロテクター本体３が、燃料タンク本体側端部４側を被溶接片部６によりフィラーチューブ１に装着すると共に、燃料注入口側端部５側をクリップ体７を用いてフィラーチューブ１に装着するように構成したが、これに限定されるものでなく、被溶接片部６を用いて溶接することにより装着する構成を燃料注入口側端部５側と同様にクリップ体にて装着するようにしてもよい。
【産業上の利用可能性】
【００４５】
以上説明したこの発明は、部品点数や取付けコスト或いは車体重量の上昇を招くことなく、しかも、自動車の衝突時におけるフィラーチューブの穿孔や千切れ現象を確実に防止できるように構成することができることから、自動車用燃料を燃料注入口から注入して燃料タンク本体内に供給するフィラーチューブが自動車の衝突事故などに遭遇した際の燃料漏れの要因となる穿孔等を起こさないように構成したフィラーチューブのプロテクター構造等に好適であるといえる。
【符号の説明】
【００４６】
１    フィラーチューブ
２    車外露出部分
３    プロテクター本体
３−１  位置決め孔
４    燃料タンク本体側端部
５    燃料注入口側端部
６    被溶接片部
７    クリップ体
８    フィラーチューブ抱持片部
８−１  一側端部
８−２  他側端部
９    プロテクター本体弾着挟合片部
９−１  ヒンジ部
９−２  位置決め突起
１０    ホイールハウス
１１    タイヤ
【図１】
2015074240.tif 000003
【図２】
2015074240.tif 000004
【図３】
2015074240.tif 000005
【図４】
2015074240.tif 000006
【図５】
2015074240.tif 000007
【図６】
2015074240.tif 000008
【図７】
2015074240.tif 000009